(57)【要約】【課題】閉じて重ねられているレジ袋を取り上げ、これを簡単な開口具で開き且つ開いた状態を保持し、買い物品を次々に入れることのできる開口具を提供すること。【解決手段】弾発性のあるプラスチック薄板を成形し、中央に形成した導入部と、これより左右に袋の開口半周以上の長さに形成した、把手部をかねた拡張部とからなる袋の開口具及び弾発性のあるプラスチック薄板を成形し、中央に形成した導入部と、これより左右に袋の開口半周以上の長さに形成した拡張部と、その端部に形成した把手部とからなる袋の開口具に関するものであり、形状が簡単で安価であり、且つ取り扱いが簡単で、殊に容易にレジ袋を開いた状態に保持できるので、買い物品を次々に迅速に入れることができ、レジにおける客へのサービスを低下させることなくレジが滞ることがない。【選択図】図３
2012140163.tif 000002
【特許請求の範囲】
【請求項１】
弾発性のあるプラスチック薄板を成形し、中央に形成した導入部と、これより左右に袋の開口半周以上の長さに形成した、把手部をかねた拡張部とからなることを特徴とする袋の開口具。
【請求項２】
弾発性のあるプラスチック薄板を成形し、中央に形成した導入部と、これより左右に袋の開口半周以上の長さに形成した拡張部と、その端部に形成した把手部とからなることを特徴とする袋の開口具。
【発明の詳細な説明】
【技術分野】
【０００１】  本発明は、コンビニ、マーケットなどで客に提供するいわゆるレジ袋などのポリエチレン製買い物袋（以下レジ袋という）に品物を入れやすく開く袋の開口具に関するものである。
【背景技術】
【０００２】  現在前記レジ袋は、レジ（会計機）のそばに置かれ、売り子がサービスとして、会計の終えた客の買い物品をレジ袋に入れて客に渡しているが、積み重ねた状態のレジ袋を取り上げこれを開き、買い物をすべて入れるには相当の時間と手間を要している。【０００３】  そのため店によっては、予めレジ袋をいくつも手で半開の状態にしておくことが行われているが、半開の袋はスペース上多くを準備することはできず、客が殺到してくると、買い物品の袋詰めのためレジが滞ってしまい、客に不満が出る。【０００４】  積み重ねてある使用前のレジ袋等を迅速に開口するアイデアとしては、量産を対象とする機械的のものが多く、道具としての開口機構としては特許公開開始時まで遡っても数点に過ぎない。【０００５】  そのうち例えば実開昭５５−１１５９０８号公報に示されたものは、先端に一方向のみに回転可能なゴム製ローラを固定した一対の脚体を有し、その脚体の他端を連結板によって回動自在に連結するとともに、該脚体間に曲面状の板バネを固定し、さらに、連結板に滑動自在に挿通されて前記板バネの曲面部に連結されたハンドルを有する構造より成ることを特徴とする袋開口具である。【０００６】  上記実開公報に示された開口具では、多数の袋が積み重ねられた開口部の上に実開袋開口具を載せハンドルを手で押さえると、板バネの作用により脚体がそれぞれ外方に押し広げられるように働くから、２つのローラがそれぞれ内側方向に回転しながら外方に転動し、脚体を開脚する。【０００７】  然る後、ハンドルへの押圧力を解除すると、前記板バネの復元力で脚体はもとの位置に戻るが、この際２つのローラはまったく回転しないので、２つのローラの摩擦力で袋を中央部に引き寄せる。【０００８】  これによって、袋一枚のみを中央に引き寄せると共に開口部を開口するから、その袋を手で簡単に取り出すことが出来るとしている。すなわち、この実開昭公報開示のものでは、詳細は不明だが、「開口した状態で一枚の袋を取り出す」ことができるようであるが、少なくとも開口状態を大きく保持して買い物を次々に入れることは困難と考える。また、このような機械をレジ近くに置くことはスペース上難しい。【０００９】
【特許文献１】実開昭５５−１１５９０８号公報
【発明の開示】
【発明が解決しようとする課題】
【００１０】  本発明が解決しようとする課題は、上記に鑑み、閉じて重ねられているレジ袋を取り上げ、これを簡単な開口具で開き且つ開いた状態を保持し、買い物品を次々に入れることのできる開口具を提供することにある。
【課題を解決するための手段】
【００１１】  本発明の袋の開口具は、弾発性のあるプラスチック薄板を成形し、中央に形成した導入部と、これより左右に袋の半開以上の長さに形成した、把手部をかねた拡張部とからなること、及び弾発性のあるプラスチック薄板を成形し、中央に形成した導入部と、これより左右に袋の開口半周以上の長さに形成した拡張部と、その端部に形成した把手部とからなることを特徴とする。
【発明の効果】
【００１２】  本発明の袋の開口具は、弾発性のあるプラスチック薄板を成形し、中央に形成した導入部と、これより左右に袋の開口半周以上の長さに形成した、把手部をかねた拡張部とからなること又は弾発性のあるプラスチック薄板を成形し、中央に形成した導入部と、これより左右に袋の開口半周以上の長さに形成した拡張部と、その端部に形成した把手部とからなることを特徴とするので、形状が簡単で安価であり、且つ取り扱いが簡単で、殊に容易にレジ袋を開いた状態に保持できるので、買い物品を次々に迅速に入れることができ、レジにおける客へのサービスを低下させることなくレジが滞ることがない。【００１３】  また、本発明の袋の開口具は、使用しないときは平であり、したがってこれを重ねてレジの傍らに置けるので、前記実開昭公報記載の袋の開口具に比してスペースが遥かに少なくてすむという利点もある。更に再使用も可能である。
【発明を実施するための最良の形態】
【００１４】  本発明の好ましい実施の形態を図１乃至図７により説明すると、本発明の袋の開口具１は、弾発性のあるプラスチック薄板を成形し、中央に形成した導入部２と、これより左右に袋の開口半周以上の長さに形成した、把手部をかねた拡張部３とから成ること、又は、開口具１’は、弾発性のあるプラスチック薄板を成形し、中央に形成した導入部２’と、これより左右に袋の開口半周以上の長さに形成した拡張部３’と、その端部に形成した把手部４とからなることを特徴とするものである。
【実施例１】
【００１５】  図に示す実施例について更に詳細に説明すると、図１に示すものは基本的には、例えば厚さ０．５〜１ミリメートルの弾発性のあるプラスチック薄板から成形された長さが例えば６０センチメートルのもので、下辺が平で幅（高さ）が例えば８０ミリメートルの基本形の中央上部に段付き山形の導入部２を形成すると共に、拡張部３左右の端部に上に伸びる同形の凸部をもつ把手部４を形成したものである。なお、本発明では、上記基本形のうち中央の導入部２と端部の把手部４との間の略同一幅の部分を拡張部３と称するものとする。
【実施例２】
【００１６】  図２に示すもの１’は基本的には、図１のものと同様、例えば厚さ０．５〜１ミリメートルの弾発性のあるプラスチック薄板から成形された長さが例えば６０センチメートルのもので、下辺が平で幅が例えば８０ミリメートルの拡張部３’の中央上部に半円状山形の導入部２’を形成するが、拡張部３’の左右の端部に図１のもののように把手部４を設けず前記拡張部３’に把手部を兼ねさせている。【００１７】  前記導入部２、２’は後述するように、本発明開口具１を使用するとき、導入部２、２’によりレジ袋５の下げ手５ａの根元付近を軽く押して、ここを支点としてレジ袋５を開きやすいようにするため、ある程度の長さ（高さ）をもった山形に形成してあるか゛、段付きとせず前記のように半円形に近い山形としてもよく、また必ずしもこの形に限るものではない。【００１８】  本発明の袋の開口具１、１’は、長さを「例えば６０センチメートル」としたが、これは使用頻度の高い中型のレジ袋に本発明開口具を使用したとき、導入部２から左右に結び５ｂを越えて袋の開口半周以上の長さに亙るように配慮したもので、袋に合わせて種々の長さのものを揃えることも考えられる。【００１９】  次に本発明袋開口具１、１’によりレジ袋５を開口する状況を説明すると、例えば開口具１によるならば、まづ袋開口具１を１枚とり、これを曲げて図３の如く左右の把手部４、４が重なる状態に右手で持つ。【００２０】  次に（または同時に）、例えば積み重ねられたレジ袋５を１枚取り上げ、２つの結び５ｂを左右に（又は一方の結び５ｂだけを）引いて袋５を若干開く。【００２１】  ここで右手に持った図３の状態の開口具１の導入部２を、図３のようにレジ袋５内で一方の下げ手５ａの根元に当てる。【００２２】  この状態で掴んでいた開口具１の把手部４、４から手を広げ離せば拡張部３、３は弾発的に拡張し、図５のようにレジ袋５は大きく開口するから、買い物品を容易に投入することができる。そして、買い物品を入れ終わったら開口具１を袋５から外し、結び５ｂを結んで（またはそのまま）客に渡せばよい。【００２３】  本発明袋開口具１の使用状況において、レジ袋５を一枚づつ取り上げて開口する説明をしたが、実務的には次のように行うのがよい。即ち、小規模マーケットで例えば朝夕の繁忙時を店長と店員１名にて切盛りすることを考えると、店長が開口具にてレジ袋を広げ、店員が広げたレジ袋に買い物品を入れ客との応接を行うとして、レジ袋を開口する時間は３、４秒であろうが、客との応接には１０秒近くはかかるから、本発明の開口具により開口する袋の準備には余裕ができ、店長は開口具で広げた袋を重ねておいて他の仕事にかかることもでき、従来より能率が向上する。
【産業上の利用可能性】
【００２４】  本発明はレジ袋に限らずビニール製の袋全般に応用できる。
【図面の簡単な説明】
【００２５】
【図１】本発明に係る袋開口具の平面図である。
【図２】本発明の他の例の袋開口具の平面図である。
【図３】本発明に係る袋開口具を使用するために、閉じるように曲げた状態を示す斜視図である。
【図４】本発明に係る他の例の袋開口具を使用するために、閉じるように曲げた状態を示す斜視図である。
【図５】本発明に係る袋開口具をレジ袋内にセットすべく装入した状態を示す図である。
【図６】図３の状態から袋開口具から手を離して袋を開口状態に保持した様子を示す図である。
【図７】レジ袋の斜視図を示す。
【符号の説明】
【００２６】１、１’              袋開口具
２、２’              導入部
３、３’              拡張部
４                    把手部
５                    レジ袋
５ａ                  下げ手
５ｂ                  結び。
【図１】
2012140163.tif 000003
【図２】
2012140163.tif 000004
【図３】
2012140163.tif 000005
【図４】
2012140163.tif 000006
【図５】
2012140163.tif 000007
【図６】
2012140163.tif 000008
【図７】
2012140163.tif 000009
【手続補正書】
【提出日】平成23年2月28日(2011.2.28)
【手続補正１】
【補正対象書類名】図面
【補正対象項目名】全図
【補正方法】変更
【補正の内容】
【図１】
2012140163.tif 000010
【図２】
2012140163.tif 000011
【図３】
2012140163.tif 000012
【図４】
2012140163.tif 000013
【図５】
2012140163.tif 000014
【図６】
2012140163.tif 000015
【図７】
2012140163.tif 000016